(57)【特許請求の範囲】
【請求項１】
複数の白鍵と黒鍵をそれぞれ回動部を介して支持部材の鍵取付部に並設し、前記各白鍵および各黒鍵のそれぞれ下方に設けた駆動部によって駆動される質量体を前記支持部材の質量体取付部に設けた鍵盤装置において、
前記各白鍵の鍵並び方向の動きを規制し、前記各白鍵を押離鍵時に押離鍵方向にガイドするガイド部を、該各白鍵の幅広部と前記支持部材との間に設け、該ガイド部を設ける前記幅広部の鍵幅方向における位置が、該幅広部の鍵幅方向の中央位置と前記駆動部の鍵幅方向の中央に対応する駆動部中央位置とが異なる白鍵に対しては、該駆動部中央位置の方に近いことを特徴とする鍵盤装置。
【請求項２】
前記ガイド部が、前記白鍵の幅広部に設けた被ガイド部と、該幅広部に対向する前記支持部材側に設けたガイド部材とからなり、該ガイド部材と前記被ガイド部の一方が他方に嵌入して直接摺接するようにしたことを特徴とする請求項１記載の鍵盤装置。
【請求項３】
前記ガイド部が、前記白鍵の先端部に設けられた鍵幅方向の壁面に下縁から鍵高さ方向に沿って形成されたスリット状の被ガイド部と、該白鍵の先端部に対向する前記支持部材側に鍵長手方向と鍵高さ方向の両方に沿って立設され、常時前記被ガイド部に嵌入して前記白鍵の押離鍵方向の移動を許容する板状のガイド部材とによって構成されていることを特徴とする請求項２記載の鍵盤装置。
【発明の詳細な説明】
【技術分野】
【０００１】
この発明は、電子オルガン、電子ピアノ、シンセサイザ等の電子鍵盤楽器あるいは電気鍵盤楽器に用いられる鍵盤装置に関する。
【背景技術】
【０００２】
従来から、電子オルガンや電子ピアノ等の電子鍵盤楽器に用いられる鍵盤装置において、ピアノのような自然楽器の鍵タッチ感触に近い重量感のあるタッチ感触が得られるように、各鍵に対応して一般にハンマと称される質量体を備えたものがある。そして、そのハンマが各鍵の押鍵動作に連動して揺動し、その動きに応じた力を押鍵力に対する反作用として付与して、所望の押鍵タッチ感触を得るようにしている。
このような各鍵ごとに質量体を備えた鍵盤装置は、例えば特許文献１及び特許文献２に示されている。
【特許文献１】実公平７−３４４７１号公報
【特許文献２】特許第２９１７８６３号公報
【０００３】
鍵盤楽器の鍵盤装置は、１オクターブの鍵域ごとに７本の白鍵と５本の黒鍵が鍵盤フレームやケースなどの支持部材の鍵取付部に押離鍵方向に回動可能に並設され、その各黒鍵は隣接する２本の白鍵の間に嵌まり込んでその白鍵の上面から突出するように配置される。そのため、各白鍵本体の後部は黒鍵が嵌り込めるように切り欠かれており、幅が狭い幅狭部になっている。そして、各鍵の先端部付近の下方には鍵側の被ガイド部と支持部材側の鍵ガイドによるガイド部を設けて鍵並び方向の動きを規制し、各鍵が鍵幅方向に揺動しないようにしている。
【０００４】
さらに、質量体を設ける場合には、特許文献１、２に見られるように、その各白鍵と黒鍵の下方にそれぞれ質量体を各鍵に連動して回動するように配置しなければならない。
そこで、通常白鍵用と黒鍵用の質量体が鍵配列方向に略均等な間隔で配置されるように、白鍵用の質量体は白鍵の幅狭部の延長線上に配置され、その前端部が白鍵の幅広部の下部に設けられた駆動部によって駆動されるようになっている。
一方、白鍵のガイド部が各白鍵の先端部付近に設けられているが、一般に支持部材側の鍵ガイドを鍵配列方向に均等な間隔で設けているので、各白鍵の幅広部に対してその鍵幅方向の中央位置にガイド部を設けている。
【発明の開示】
【発明が解決しようとする課題】
【０００５】
しかしながら、前述したように、白鍵用の質量体は白鍵の幅狭部の延長線上に配置され、その前端部を白鍵の幅広部における幅狭部の延長線上の下部に設けられた駆動部によって駆動するようになっている。そのため、白鍵本体の左右の一方の側だけが切り欠かれた幅狭部を有する白鍵（Ｃ，Ｅ，Ｆ，Ｂ鍵）の場合には、駆動部が幅広部の鍵幅方向の中央から左右いずれかの側に偏った位置に設けられることになる。
したがって、これらの白鍵に関しては、質量体の駆動部とガイド部の鍵幅方向の位置がずれているため、離鍵時に質量体（ハンマ）から力を受ける駆動部とガイド部との力のバランスが微妙にずれ、鍵ガイドと白鍵の被ガイド部との片当たりが起こり、メカ雑音が発生し易いという問題があった。
【０００６】
この問題の対策として、鍵ガイドを軟質材で覆っている鍵盤装置が多いが、軟質材の寸法精度のバラツキや鍵の反りなどの外圧により軟質材が変形すると、隣接する鍵とのクリアランスにバラツキが生じ易く、白鍵の配列方向の位置精度を出し難い。
また、グリッサンド奏法のような鍵の横方向に外圧が生じる演奏を行うと、軟質材の変形量が大きくなり、隣接鍵同士がぶつかりあって別のメカ雑音が発生してしまう。
【０００７】
この発明は上記のような問題を解決するためになされたものであり、上述のような質量体備えた鍵盤装置において、白鍵のガイド部によるメカ雑音や隣接鍵との接触による雑音などが発生しないようにすることを目的とする。
【課題を解決するための手段】
【０００８】
この発明は、複数の白鍵と黒鍵をそれぞれ回動部を介して支持部材の鍵取付部に並設し、その各白鍵および黒鍵のそれぞれの下方に設けた駆動部によって駆動される質量体を上記支持部材の質量体取付部に設けた鍵盤装置において、上記各白鍵の鍵並び方向の動きを規制し、各白鍵を押離鍵時に押離鍵方向にガイドするガイド部を、各白鍵の幅広部と上記支持部材との間に設け、そのガイド部を設ける幅広部の鍵幅方向における位置を、該幅広部の鍵幅方向の中央位置と上記駆動部の鍵幅方向の中央に対応する駆動部中央位置とが異なる白鍵に対しては、該駆動部中央位置の方に近くしたことを特徴とする。
【０００９】
上記ガイド部が、上記白鍵の幅広部に設けた被ガイド部と、その幅広部に対向する上記支持部材側に設けたガイド部材とからなり、該ガイド部材と上記被ガイド部の一方が他方に嵌入して直接摺接するようにするとよい。
さらに、上記ガイド部を、上記白鍵の先端部に設けられた鍵幅方向の壁面に下縁から鍵高さ方向に沿って形成されたスリット状の被ガイド部と、該白鍵の先端部に対向する上記支持部材側に鍵長手方向と鍵高さ方向の両方に沿って立設され、常時上記被ガイド部に嵌入して上記白鍵の押離鍵方向の移動を許容する板状のガイド部材とによって構成することができる。
【発明の効果】
【００１０】
この発明による鍵盤装置は、白鍵の幅広部に対して設けたガイド部の鍵幅方向の位置を、質量体の駆動部における鍵幅方向の中央位置に対応する位置の近傍にしたので、離鍵時に質量体から駆動部が受ける力をガイド部全体に均等に伝達することができるため、メカ雑音の発生が大幅に低減する。
また、支持部材側の鍵ガイドを軟質材で覆わずに、白鍵側の被ガイド部と直接摺接させることができるので、白鍵の鍵並び方向の位置精度が向上し、グリッサンド奏法のような演奏を行った際に、隣接鍵同士がぶつかりあってメカ雑音が発生するようなことも改善される。
【発明を実施するための最良の形態】
【００１１】
以下、この発明を実施するための最良の形態を図面に基づいて具体的に説明する。
図１乃至図１０はこの発明の一実施例を示す図であり、図１はこの発明による鍵盤装置を備えた電子楽器の鍵長手方向に沿う概略断面図、図２はその鍵盤装置の１オクターブの鍵域部分の平面図、図３は図１における矢示Ｓ方向から見た正面図、図４は白鍵の自由端側の下面図である。
【００１２】
図５はその鍵盤装置を構成する鍵ユニットのみを、白鍵ユニットを実線で黒鍵ユニットを仮想線で示す平面図である。図６はその鍵ユニットの鍵共通保持部付近を拡大して示す側面図、図７は鍵盤フレームの鍵取付部付近とそこに取り付けられた第１の白鍵ユニットの一部を示す斜視図、図８は黒鍵ユニットの一部を下方から見た斜視図である。
図９は図２に示した鍵盤装置を、鍵ユニットおよびスイッチ基板を取り除いて一部を破断して示す平面図、図１０は黒鍵の質量体駆動部の側面図である。
【００１３】
まず、主に図１に示す電子楽器の構成について説明する。この電子楽器１は、卓上型の電子オルガン、電子ピアノ、シンセサイザ等の電子鍵盤楽器であり、鍵盤装置２と上ケース６０及び下ケース７０と、図示していない電子回路部やスピーカなどからなっている。
鍵盤装置２は、多数の白鍵２０と黒鍵４０を支持部材である鍵盤フレーム１０の鍵取付部１０Ｋに取り付けて併設しており、それぞれ押鍵操作される鍵本体部だけを露出して、上ケース６０と下ケース７０からなるケース内に収納されている。その上ケース６０と下ケース７０は互いに嵌合しており、止めねじ７１および図示していない複数の止めねじによって、鍵支持部材である鍵盤フレーム１０と共に締め付けられて連結されている。
上ケース６０の前面には口棒部６４が設けられ、後部上面には譜面台６２を差し込んで装着するための譜面台装着溝６１が形成されている。下ケース７０の下面の四隅にはゴム足７６が取り付けられている。
【００１４】
その各白鍵２０と黒鍵４０は、例えば図５に示すように１オクターブの鍵域ごとに一組の鍵ユニットＫＵを構成している。その鍵ユニットＫＵは、第１の白鍵ユニットＫＵＷ１と第２の白鍵ユニットＫＵＷ２と黒鍵ユニットＫＵＢとによって構成されている。
第１の白鍵ユニットＫＵＷ１は、１オクターブの外側から一つ置きに４個の全音鍵である白鍵２０（図２に示すＣ，Ｅ，Ｇ，Ｂ鍵）の各鍵本体部２３が、それぞれ連結部２４によって鍵共通保持部２１に押離鍵方向に揺動可能に連結している。
【００１５】
第２の白鍵ユニットＫＵＷ２は、他の一つ置きに３個の全音鍵である白鍵２０（図２に示すＤ，Ｆ，Ａ鍵）の各鍵本体部２３がそれぞれ連結部２４によって鍵共通保持部２２に押離鍵方向に揺動可能に連結している。
黒鍵ユニットＫＵＢは、図５では仮想線で示す５個の半音鍵である黒鍵４０（図２に実線で示すＣ♯，Ｄ♯，Ｆ♯，Ｇ♯，Ａ♯鍵）の各鍵本体部４３がそれぞれ連結部４２によって鍵共通保持部４１に押離鍵方向に揺動可能に連結している。
【００１６】
なお、図５において２３は白鍵２０の鍵本体部を、４３は黒鍵４０の鍵本体部をそれぞれ示しており、その各鍵本体部２３，４３の長手方向の長さは、当然ながら白鍵２０の鍵本体部（以後「白鍵本体部」という）２３の方が黒鍵４０の鍵本体部（以後「黒鍵本体部」という）４３よりも長い。
ここで、「白鍵」と「黒鍵」とは、必ずしも色が「白い鍵」と「黒い鍵」を意味するものではなく、上述のように鍵本体部の上面がフラットで長さが長い方の鍵で、押鍵により全音を発音させるための鍵を「白鍵」と、鍵本体部が白鍵より上方に突出し長さが短い方の鍵で、押鍵により半音を発音させるための鍵を「黒鍵」と、それぞれ便宜上称している。したがって、実際の鍵の白黒が逆であっても、上述した白鍵に相当する形状及び機能を持つ鍵を「白鍵」とし、上述した黒鍵に相当する形状及び機能を持つ鍵を「黒鍵」とする。
【００１７】
これらの第1の白鍵ユニットＫＵＷ１と第２の白鍵ユニットＫＵＷ２と黒鍵ユニットＫＵＢは、図６にも示すように、その各鍵共通保持部２１，２２，４１が、互いに重なり合って鍵共通保持部３０を形成する。その鍵共通保持部３０は、第１の白鍵ユニットＫＵＷ１の鍵共通保持部２１に形成されたレール状の嵌合用突条部２１ｂに、第２の白鍵ユニットＫＵＷ２の鍵共通保持部２２に形成された嵌合用凹溝部２２ａが位置決め嵌合され、その鍵共通保持部２２に形成されたレール状の嵌合用突条部２２ｂに黒鍵ユニットＫＵＢの鍵共通保持部４１に形成された嵌合用凹溝部４１ａが位置決め嵌合されて一体化する。
【００１８】
さらに、第１の白鍵ユニットＫＵＷ１の鍵共通保持部２１に形成された嵌合用凹溝２１ａを鍵盤フレーム１０の鍵取付部１０Ｋに形成されたレール状の嵌合用突条部１５に位置決め嵌合させ、鍵共通保持部３０を形成する鍵共通保持部２１，２２，４１の取付孔２６，２６，４４に図１に示す鍵ユニット組み付け用ねじ８２を上方から挿通して、図６に示す鍵取付部１０Ｋの鍵共通保持部取付用ねじ穴１７にねじ込んで組み付けることによって、各鍵共通保持部２１，２２，４１が鍵取付部１０Ｋに共通に取り付けられる。
【００１９】
このようにして、第１の白鍵ユニットＫＵＷ１と第２の白鍵ユニットＫＵＷ２と黒鍵ユニットＫＵＢが、図２に示すように１オクターブ分の鍵ユニットＫＵとして鍵盤フレーム１０上に組み付けられる。この鍵ユニットＫＵを必要な鍵域分だけ鍵並び方向に連接させて組み付けることにより、所要鍵数の鍵盤装置を構成することができる。
【００２０】
ここで、第１，第２の白鍵ユニットＫＵＷ１，ＫＵＷ２の各連結部２４と、黒鍵ユニットＫＵＢの連結部４２の形状などの詳細について、図２及び図５乃至図８によって説明する。
黒鍵ユニットＫＵＢの各黒鍵本体部４３をそれぞれ鍵共通保持部４１に押鍵方向に揺動可能に連結する連結部４２は、図２及び図８に明示されているように、その鍵並び方向の全幅Ｗａが黒鍵本体部４０の鍵幅Ｗｂよりも広く、その一部Ｗｃ，Ｗｄ（Ｗａ，Ｗｂ，Ｗｃ，Ｗｄは図８参照）が隣り合う白鍵２０の連結部２４と互いに重なり合うように幅広に構成され、その連結部４２によって黒鍵４０の押離鍵時における鍵幅方向の揺動を規制するようにしている。
【００２１】
その黒鍵４０の連結部４２は、図６及び図８に明示されているように、押離鍵回動を可能にする薄肉ヒンジ部４２ｂとその薄肉ヒンジ部４２ｂより剛性の高い厚肉接続部４２ａとからなり、その厚肉接続部４２ａは黒鍵本体部４３の後端部４３ｅ（図８）の両側面から隣接鍵方向にぞれぞれ突設して後方に延設し、薄肉ヒンジ部４２ｂに接続されており、さらに鍵共通保持部４１へと結合される。その薄肉ヒンジ部４２ｂは、図２及び図８に明示されているように鍵幅方向の中間部に開口４７を形成し、それによって左右の部分に分割されている。
【００２２】
薄肉ヒンジ部４２ｂをこのように形成することにより、押鍵方向の可撓性を高めながら、厚肉接続部４２ａとともに鍵幅方向（横方向）の力に対する断面二次モーメントを大きくして、鍵ガイドを使用しなくても黒鍵本体部４３の鍵幅方向の横振れ（ヨーイング）を充分に規制できるようにしている。
なお、その連結部４２における黒鍵本体部４３の後端部４３ｅの両側面からの厚肉接続部４２ａの突出量は、図２に示すように各黒鍵４０ごとに異なっており、左右均等とは限らないし、各鍵によってもその幅長が異なっている。いずれにしても、黒鍵用連結部としての幅広部は、平均すると一鍵につき１２／５＝２．４鍵分の幅長を有し得ることになり、できる限りその鍵幅方向の全幅を広くとって、黒鍵本体部４３の鍵幅方向の横振れを規制する効果を高めるようにしている。
【００２３】
一方、第１，第２の白鍵ユニットＫＵＷ１，ＫＵＷ２の白鍵本体部２３をそれぞれ鍵共通保持部２１又は２２に押鍵方向に揺動可能に連結する各連結部２４は、図５及び図７に明示されるように、その鍵並び方向の全幅Ｗｅが前述した黒鍵ユニットＫＵＢの連結部４２の鍵並び方向の全幅Ｗａより狭く、白鍵本体部２３の後端部の幅とほぼ同等の幅に形成されている。
【００２４】
その各連結部２４は、図６にも示すように、鍵幅方向に延びる薄肉の水平ヒンジ部２４ａと鍵の長手方向に沿って厚さ方向に延びる垂直ヒンジ部２４ｂとからなり、垂直ヒンジ部２４ｂは図５に明示されているように上方から見て「エ」の字状に形成されている。そして、薄肉の水平ヒンジ部２４ａの前端部が白鍵本体部２３の後端４３ｅに一体に接続し、垂直ヒンジ部２４ｂの後端部が鍵共通保持部２１又は２２に一体に接続されている。
水平ヒンジ部２４ａは、白鍵本体部２３を押鍵方向に揺動可能に支持し、垂直ヒンジ部２４ｂは白鍵本体部２３を鍵幅方向に揺動可能に支持する。そのため、白鍵本体部２３の前端部の鍵並び方向の位置決めと横揺れの規制は、白鍵２０の自由端側に設けた後述するガイド部によって行うようにしている。
【００２５】
垂直ヒンジ部２４ｂの存在理由は、鍵盤フレーム１０及び鍵ユニットＫＵが樹脂で形成されているので、成形時の収縮誤差や熱冷却時の各部のバラツキによって、後述するキーガイド部１２及び／又は被ガイド部３３の位置精度が僅かにバラツクことがあっても、押離鍵時に鍵自由端部でストレスが発生しないようにするためである。
前述のように、黒鍵４０の連結部４２はその鍵幅方向の全幅が黒鍵本体部４３の後端の鍵幅よりも広く、図２及び図５に明示されているように、その一部が隣合う白鍵２０の連結部２４と互いに重なり合う重なり部を有している。
【００２６】
さらに、その連結部４２における上記重なり部の一部として、上述した厚肉接続部４２ａの黒鍵本体部４３の後端部４３ｅの両側面から隣接鍵方向へ突設した部分が、隣接する白鍵２０の鍵本体部２３の後端部上面に重なるようにしている。また、図６及び図７に示すように、その白鍵本体部２３の後端部の上面２３ａの高さが他の部分より低く設定された逃がし部２５を白鍵本体部２３の後端部に形成している。そして、第１，第２の白鍵ユニットＫＵＷ１，ＫＵＷ２の上に黒鍵ユニットＫＵＢを重ねて鍵盤装置を構成したとき、
その白鍵本体部２３の逃がし部２５に黒鍵４０の連結部４２の一部である厚肉接続部４２ａが嵌合して重なるようにしている。この実施例では、それによって白鍵本体２３の上面２３ａと黒鍵４０の連結部４２の厚肉接続部４２ａの上面とが面一になっている。
【００２７】
このように構成することにより、少なくとも黒鍵４０に対してはガイド部を設けないで済む鍵盤装置において、白鍵２０及び黒鍵４０の各連結部２４，４２によるヒンジ機構が全て白鍵本体２３の上面２３ａより下方に納まるため、高さを押えつつ鍵の支点近傍の実装設計（パネルレイアウト等）の自由度が向上する。さらに、黒鍵４０と白鍵２０の回動支点が上下方向に接近することから、鍵操作性という点からも、より演奏しやすい鍵盤装置が実現する。特に、スケーリング演奏（例えばＣ，Ｃ♯，Ｄ，Ｄ♯，Ｅ，Ｆ，…鍵による）が操作しやすい。
【００２８】
また、鍵盤装置の高さを抑えつつ白鍵本体部２３の厚みを増すことができ、押鍵時に白鍵本体部２３が曲がらないようにすることができる。さらに、白鍵本体部２３を長くすることにより、平行押鍵に近くなるので弾き易くなる。
一方、黒鍵４０についても、連結部４２の厚肉接続部４２ａを高くすることなく充分な厚さを確保することができるので、鍵幅方向への横振れに対する剛性を高めることができる。
【００２９】
ここで図１に戻って、支持部材である鍵盤フレーム１０とその関連部分の構成について説明する。
この鍵盤フレーム１０は、図１において左下側に位置する前方下側部分と、右下側に位置する後方下側部分と、上側に位置する上方部分と、それらを補強するとともに接続するリブ部とが樹脂によって一体に成形されている。
【００３０】
そして、前方下側部分には、白鍵ガイド１２を一体に形成したガイド支持部１１、白鍵用下限ストッパ保持部１０Ｆ、鍵ユニットスライド面１９、質量体取付部１０Ｇ、および下ケース固定用のボス部１０ｅ〜１０ｇ等が形成されている。後方下側部分には、質量体下限ストッパ保持部１０Ｌと下ケース固定用のボス部１０ｈ等が形成されている。さらに、上方部分には、鍵取付部１０Ｋ、スイッチ基板取付部１０Ｓ、質量体上限ストッパ保持部１０Ｈ、および上部品取付部１０Ｊ等が形成されている。
【００３１】
鍵ユニットスライド面１９は、前述した鍵ユニットＫＵを鍵盤フレーム１０に装着する際に利用される。すなわち、鍵盤フレーム１０の手前側からガイド支持部１１とスイッチ基板８０との間の隙間を通して鍵ユニットＫＵを挿入したとき、各白鍵２０及び黒鍵４０にそれぞれ設けられた駆動部である後述する質量体駆動部２９，４５の下端面をその鍵ユニットスライド面１９の傾斜面に当接させて滑らせ、後述する白鍵用質量体５０Ｗ及び黒鍵用質量体５０Ｂの主被駆動部５３Ｗ，５３Ｂと副被駆動部５４Ｗ，５４Ｂとの間に、質量体駆動部２９，４５の嵌合部を自動的に嵌入させることができる。
上部品取付部１０Ｊには、上ケース６０の上部に収容する操作パネル用基板等の部品を取り付けることができる。
【００３２】
リブ部は、白鍵用下限ストッパ保持部１０Ｆと鍵ユニットスライド面１９の下側のリブ１０ａ、ボス部１０ｆの上側のリブ１０ｂ、質量体取付部１０Ｇの内側のリブ１０ｃ、前方下側部分と後方下側部分と上方部分とを接続するメインのリブ１０ｄとから成っている。これらのリブからなるリブ部は、図２に示すように鍵長手方向に沿って、鍵並び方向に間隔を置いて複数（１オクターブにつき２箇所程度）箇所に設けられている。
【００３３】
白鍵用下限ストッパ保持部１０Ｆの上面には、鍵並び方向に延びる帯状のフエルト材からなる白鍵用下限ストッパ３４が貼着保持されている。質量体下限ストッパ保持部１０Ｌの上面には、図２及び図９にも示されているように、後述する質量体（ハンマ）５０Ｗ，５０Ｂの並び方向に延びる帯状のフェルト材からなる質量体下限ストッパ８４が貼着保持されている。また、質量体上限ストッパ保持部１０Ｈの下面には、図７にも示されるように、質量体５０Ｗ，５０Ｂの並び方向に延びる帯状のフェルト材からなる質量体上限ストッパ８３が貼着保持されている。
【００３４】
ここで、白鍵のガイド部について図２乃至図４も参照して説明する。
鍵盤フレーム１０の前端側上部には、各白鍵の自由端付近に対応する位置に、板状のガイド支持部１１が、図２及び図３に示されているように白鍵２０の並び方向に沿って列設されている。その各ガイド支持部１１の前面から前方へ突出するように、板状の白鍵ガイド１２が垂直に形成されている。このガイド支持部１１と白鍵ガイド１２とは、上方又は下方から見ると図２に破線で示し、図４に仮想線で示すようにＴ字状のガイド部材となっている。
【００３５】
一方、各白鍵２０の自由端側には、その下面図を図４に示すように、白鍵本体部２３の先端部２０ａにはケースに収納された状態で外部から見える部分の前端に外側前端壁３１が設けられており、上面部はそれより僅かに前方へ突出している。その外側前端壁３１より内側に内側前端壁３２が白鍵本体部２３の先端部２０ａの全高さ域に亘って形成されている。その内側前端壁３２の鍵幅方向の中間部に、下端から鍵高さ方向に沿ってスリット３３ａを形成し、互いに前方へ対称的に湾曲して突出する対の被ガイド部３３を形成している。この被ガイド部３３のスリット３３ａの間隙幅を、白鍵ガイド１２の厚さより僅かに大きくしている。
【００３６】
この鍵盤フレーム１０側の白鍵ガイド１２と白鍵本体部２３側の被ガイド部３３とによってガイド部を構成しており、そのガイド部の鍵幅方向の位置を、その白鍵２０の下方に配設されている質量体５０Ｗの被駆動部５３Ｗ，５４Ｗを駆動する質量体駆動部２９（図１参照）の鍵幅方向の中央位置に対応する位置と一致させるか、なるべく近づけるのが望ましい。この実施例では図２及び図３に示されているように、白鍵２０の幅広部の鍵幅方向の中央位置と質量体５０Ｗの鍵幅方向の中央位置（図１に示した質量体駆動部２９の鍵幅方向の中央位置と対応する）とが異なっている白鍵のうち、Ｃ鍵とＥ鍵に関しては、白鍵ガイド１２と被ガイド部３３からなるガイド部の鍵幅方向の中央位置を、白鍵の幅広部の鍵幅方向の中央位置からずらして、質量体５０Ｗの鍵幅方向の中央位置と略一致させている。
【００３７】
このように構成することによって、白鍵２０の離鍵時に質量体５０Ｗから質量体駆動部２９が受ける力を白鍵ガイド１２と被ガイド部３３からなるガイド部全体に均等に伝達することができるため、メカ雑音の発生が大幅に低減する。この点についての詳細は後述する。
Ｆ鍵及びＢ鍵に関しても、ガイド部の鍵幅方向の位置を同様に質量体５０Ｗの鍵幅方向の中央位置と略一致させるとよいが、この実施例ではボス部１０ｅを設ける都合上、白鍵の幅広部の鍵幅方向の中央位置と略一致させている。
【００３８】
そして、前述した鍵ユニットＫＵが鍵盤フレーム１０に装着されたときに、図２乃至図４に示すように、各白鍵ガイド１２が各白鍵２０の被ガイド部３３のスリット３３ａに嵌入して、各白鍵２０の先端部の位置位置決めと押鍵時の横振れの規制を行う。なお。各白鍵本体２３は前述した連結部２４の垂直ヒンジ部２４ｂの作用で鍵幅方向に揺動可能であるから、多少の製造誤差や組み付け誤差があっても、無理なく各白鍵本体部２３の配列位置を揃えることができ、押離鍵操作もスムーズに行うことができる。
【００３９】
この各白鍵ガイド１２と各白鍵２０の被ガイド部３３に潤滑用のグリースを塗布しておくとよい。但し、この白鍵ガイド１２には軟質材を被覆せず、白鍵２０の被ガイド部３３と直接摺接させる。このようにすることによって、白鍵２０の鍵並び方向の位置精度が向上し、グリッサンド奏法のような演奏を行った際に、隣接鍵同士がぶつかりあってメカ雑音が発生するようなことも改善される。
【００４０】
再び図１に戻って、鍵盤フレーム１０のスイッチ基板取付部１０Ｓ上にはスイッチ基板８０が、スイッチ基板係止鉤３５によって係止されて取り付けられており、そのスイッチ基板８０上には、各白鍵２０及び黒鍵４０の長手方向の中間部に対応する位置に、図２にも破線で示すように多数の鍵スイッチ８１が列設されている。
【００４１】
この鍵スイッチ８１は、それぞれ合成ゴム製のドーム状の可動部を有し、その可動部に一対の被押圧部（図２に２つの小円形の破線で示されている）とその内側に導電性ゴムによる一対の可動接点を備えており、その各可動接点がスイッチ基板８０上に形成された二組の固定接点と対向して、２接点（２メイク）の鍵スイッチを構成している。そして、白鍵２０又は黒鍵４０の押鍵時に、その下面で可動部が押圧されて一対の可動接点が二組の固定接点に順次接触して各接点をＯＮにし、それが押鍵信号として出力される。また、その各接点がＯＮになったタイミングの時間差によって押鍵速度を検出することができ、その検出した押鍵速度に応じて発生する楽音を制御することができる。
【００４２】
次に、この鍵盤装置２には、各鍵の押鍵時に重量感のあるタッチ感触が得られるように各鍵に連動する質量体（一般にハンマと称されている）を備えているので、それについて図１の他に図２、図９及び図１０も参照して説明する。
各白鍵２０に対しては白鍵用質量体５０Ｗが、各黒鍵４０に対しては黒鍵用質量体５０Ｂが、それぞれ鍵盤フレーム１０の質量体取付部１０Ｇに図１で矢示Ｍ方向に揺動可能に取り付けられている。
【００４３】
その白鍵用質量体５０Ｗと黒鍵用質量体５０Ｂは殆ど同じ構成になっており、揺動被支持部５１Ｗ又は５１Ｂと主被駆動部５３Ｗ又は５３Ｂと副被駆動部５４Ｗ又は５４Ｂとが樹脂によって一体に成形されて、駆動力伝達部を構成している。そして、揺動被支持部５１Ｗ又は５１Ｂに、鉄材等の棒状金属材料による慣性モーメント発生部５２Ｗ又は５２Ｂの前端部をアウトサート成形にて一体化している。
【００４４】
慣性モーメント発生部５２Ｗ及び５２Ｂの後端部は、それぞれ曲げ加工によって上方へ略直角に曲げられ、さらに前方へ戻るように略直角に曲げられており、黒鍵用質量体５０Ｂの慣性モーメント発生部５２Ｂの後端部はコ字状の質量集中部５２Ｂｃを形成している。白鍵用質量体５０Ｗの慣性モーメント発生部５２Ｗの後端部はさらに下方へ略直角に曲げられて、略矩形ループ状の質量集中部５２Ｗｃを形成している。
【００４５】
この質量集中部５２Ｗｃ及び５２Ｂｃは、鍵盤フレーム１０の質量体上限ストッパ保持部１０Ｈよりも鍵長手方向の外方（後方）に突出しており、且つ慣性モーメント発生部５２Ｗ，５２Ｂがそれぞれ質量体上限ストッパ８３に当接する最上昇位置で、その上面が白鍵２０の鍵本体部４３の上面あるいは黒鍵４０の厚肉接続部４２ａの上面と実質的に同一面になるようにしている。慣性モーメント発生部５２Ｗ，５２Ｂにおける質量集中部５２Ｗｃ，５２Ｂｃより前方の部分が質量集中部５２Ｗｃ，５２Ｂｃを前述した駆動力伝達部に連設する連設部となっている。
【００４６】
各質量体５０Ｗ，５０Ｂの揺動被支持部５１Ｗ，５１Ｂには、それぞれ半径方向に凹部を形成するとともにその凹部の下側から後方にガイド舌片Ｑを突設した軸受部１３Ｗ，１３Ｂが設けられている。一方、鍵盤フレーム１０の質量体取付部１０Ｇの上面には、図９にも示すように鍵長手方向に平行に、鍵幅方向に所定の間隔で対向するそれぞれ対の支持リブ１０Ｗ，１０Ｂが一体に立設され、その対の支持リブ間を橋渡しするように回動軸１４Ｗ，１４Ｂが設けられている。質量体取付部１０Ｇには図２に示すように、この回動軸１４Ｗ，１４Ｂを成形する際に型が入り込むための開口３８，４８が形成されている。なお、図１では、対の支持リブ１０Ｗの手前側の支持リブを除去して示している。
【００４７】
そして、各質量体５０Ｗ，５０Ｂの軸受部１３Ｗ，１３Ｂの凹部に回動軸１４Ｗ，１４Ｂを嵌入させることにより、白鍵用質量体５０Ｗが軸受部１３Ｗと回動軸１４Ｗ及び対の支持リブ１０Ｗを介して、黒鍵用質量体５０Ｂが軸受部１３Ｂと回動軸１４Ｂ及び対の支持リブ１０Ｂを介して、それぞれ質量体取付部１０Ｇに揺動可能に軸支される。
この軸支位置すなわち回動軸１４Ｗ，１４Ｂの鍵長手方向の位置は、図２及び図９から分かるようにずれており、白鍵用質量体５０Ｗに対する回動軸１４Ｗの方が黒鍵用質量体５０Ｂに対する回動軸１４Ｂよりも前端寄りになっている。
【００４８】
そして、各白鍵用質量体５０Ｗの前端部には、図１に示されるように主被駆動部５３Ｗと副被駆動部５４Ｗとが、上下方向に間隔を置いて揺動被支持部５１Ｗと一体に設けられており、主被駆動部５３Ｗの方が副被駆動部５４Ｗよりも前方へ突出している。一方、各白鍵２０の図４に示す幅広部の後端部付近の下面に、質量体駆動部２９が図１に示すように下方へ真っ直ぐに突設されている。その質量体駆動部２９の下端面は対応する白鍵用質量体５０Ｗの主被駆動部５３Ｗの上面に当接する。また、その質量体駆動部２９の下部は背面を開口した空洞に形成されており、そこに副被駆動部５４Ｗの前端部が図１に破線で示すように緩く入り込む。
【００４９】
このように構成することによって、白鍵２０が押鍵されたときに質量体駆動部２９が下降して主被駆動部５３Ｗを駆動し、白鍵用質量体５０Ｗを回動軸１４Ｗを支点として図１で反時計方向へ、慣性モーメント発生部５２Ｗの部分Ｃが質量体上限ストッパ８３に当接する仮想線で示す位置まで回動させるので、重量感のあるタッチ感触が与えられる。離鍵時には、質量体駆動部２９の下端内壁が副被駆動部５４Ｗに係合してそれを上昇させるので、白鍵用質量体５０Ｗは回動軸１４Ｗを支点として図１で時計方向へ回動して、質量集中部５２Ｗｃが質量体下限ストッパ８４に当接する実線で示す位置へ速やかに復帰する。
このように、白鍵２０と白鍵用質量体５０Ｗとが常に連動して回動するように、質量体駆動部２９を白鍵用質量体５０Ｗの主被駆動部５３Ｗと副被駆動部５４Ｗとに係合させるようにしている。
【００５０】
各黒鍵用質量体５０Ｂの前端部にも同様に、図１０に仮想線で示す主被駆動部５３Ｂと副被駆動部５４Ｂとが、上下方向に間隔を置いて揺動被支持部５１Ｂ（図９参照）と一体に設けられており、主被駆動部５３Ｂの方が副被駆動部５４Ｂよりも前方へ突出している。一方、各黒鍵４０には図１０に示すように、その前端部の下面に質量体駆動部４５が突設されている。この質量体駆動部４５は、下方、前方、下方とクランク状に曲がって延び、その下端面４５ａを対応する黒鍵用質量体５０Ｂの主被駆動部５３Ｂの上面に当接させ、その鍵長手方向の位置が図９に仮想線で示すように、白鍵用の質量体駆動部２９の下端面と白鍵用質量体５０Ｗの主被駆動部５３Ｗとの当接位置と揃うようにしている。
【００５１】
この質量体駆動部４５の下端部４５ａも背面を開口した空洞に形成されており、そこに副被駆動部５４Ｂの前端部が図１０に仮想線で示すように緩く入り込む。
これによって、上述した白鍵２０と白鍵用質量体５０Ｗの場合と同様に、黒鍵４０と黒鍵用質量体５０Ｂも常に連動して回動する。
【００５２】
そして、この実施例では前述のように質量体駆動部４５を白鍵２０の下方で手前側に延ばして、白鍵２０と黒鍵４０の各質量体駆動部２９，４５による白鍵用質量体５０Ｗと黒鍵用質量体５０Ｂの鍵長手方向の駆動位置を略同じ位置に揃えている。一方、白鍵用質量体５０Ｗと黒鍵用質量体５０Ｂの回動支点となる回動軸１４Ｗと１４Ｂの鍵長手方向の位置は異なって（千鳥状配置になって）いる。
これにより、各質量体駆動部２９，４５によって白鍵用質量体５０Ｗと黒鍵用質量体５０Ｂが駆動される点から回動支点までの距離が、黒鍵用の方が白鍵用より長くなり、黒鍵用質量体５０Ｂの慣性モーメント発生部５２Ｂの回動支点から質量体上限ストッパ８３に当接する部分Ｃまでの距離が、白鍵用質量体５０Ｗの慣性モーメント発生部５２Ｗの回動支点から質量体上限ストッパ８３に当接する部分Ｃまでの距離より短くなるので、白鍵２０と黒鍵４０の押鍵感触のバランスをとることができる。
【００５３】
ここで、この実施例における白鍵用質量体５０Ｗと黒鍵用質量体５０Ｂはまた、前述したように質量集中部５２Ｗｃ及び５２Ｂｃが鍵盤フレーム１０の質量体上限ストッパ保持部１０Ｈよりも鍵長手方向の外方（後方）に突出しており、且つ慣性モーメント発生部５２Ｗ，５２Ｂがそれぞれ質量体上限ストッパ８３に当接する最上昇位置で、その上面が白鍵２０の鍵本体部４３の上面あるいは黒鍵４０の厚肉接続部４２ａの上面と実質的に同一面になるようにしている理由について説明する。
【００５４】
質量体（ハンマ）付きのピアノ系鍵盤装置においては、押鍵タッチ感の実現のために実装スペースとのバランス取りが重要になる。ことに低価格帯の楽器になるほど楽器本体の寸法的制約が大きくなり、鍵盤としての性能を犠牲にしなくてはならない可能性が高くなるので、その中で最大限スペース効率を稼ぐことが必要になる。最低限省略できない部材とその他の機能部品が同じ高さに並ぶことによって、無駄なスペースを全くなくすことができる。特に重要なのは、質量体（ハンマ）の移動量でほぼユニット高さが決まってしまうことである。
【００５５】
そこで、質量体の質量集中部を鍵盤フレームの質量体上限ストッパ保持部よりも鍵長手方向の外に出してしまうことにより、質量体の等価質量の向上と重量の軽量化およびそれによるコストダウンを同時に図ることが可能になる。
質量感は、質量体の回動支点から重心までの距離の２乗に比例するので、質量集中部は極力回動支点から遠くにあるのが望ましい。そのため、質量集中部を鍵盤フレームから外に出し、さらに、上方へ回動したときにその質量集中部の上端が鍵盤フレームや鍵の最高点と同じ高さになるようにすることによって、タッチ感の向上と実装自由度の確保を高次元で両立させることができる。
【００５６】
また、この実施例では、各質量体５０Ｗ，５０Ｂの質量集中部５２Ｗｃ，５２Ｂｃを、棒状金属部材の後端部を鍵の押離鍵方向の上方に折り曲げ、さらに連設部側に折り曲げて形成しているので、質量体５０Ｗ，５０Ｂの全長を余り長くせずに等価重量を大きくして慣性モーメントを増加し、タッチ感触を高めることができる。しかも、その質量集中部５２Ｗｃ，５２Ｂｃは棒状金属部材の径と同じ幅で押離鍵方向に平行な空間内で折り曲げられているので、隣接鍵の質量体との干渉をさけ、上方のスペースを有効に活用できる。
【００５７】
この質量集中部５２Ｗｃ，５２Ｂｃの折り曲げ形状は、コ字状や方形に限らず、Ｕ字状、三角形、円形、渦巻状など種々の形状にすることができる。
さらに、この実施例では、白鍵用質量体５０Ｗと黒鍵用質量体５０Ｂの質量集中部５２Ｗｃ，５２Ｂｃの実効長（伸ばしたときの長さ＝重量）を異ならせており、それによって白鍵２０と黒鍵４０のタッチ感触を揃えるようにしている。
【００５８】
また、この実施例の鍵盤装置２は、図１で説明したように鍵盤フレーム１０の各部が多くのリブによって支持されて一体に形成されている。そして、そのリブのうちで最も大きいリブ１０ｄの下縁端の少なくとも一部（図１の例では鍵長手方向に沿う中間部）が、各質量体５０Ｗ，５０Ｂが実線で示す最下降状態にあるときの下縁に沿って形成されている。このようにすることによって、鍵盤フレーム１０の下部にできる空間を有効に利用できる。例えば、鍵及び質量体の配列方向（鍵幅方向）に長い機能部品等を容易に配置することができる。
【００５９】
この場合、質量体５０Ｗ，５０Ｂの軸受部１３Ｗ，１３Ｂと質量体取付部１０Ｇ側の回動軸１４Ｗ，１４Ｂとによる回動支点部を、その支持部材である鍵盤フレーム１０の最下端から所定の高さ位置に設け、質量体５０Ｗ，５０Ｂのの下部にその移動範囲外の空間を形成しており、その空間の最上部をリブ１０ｄの下縁の一部と一致させるように構成している。
さらに、その鍵盤フレーム１０の下端に装着する下ケース７０に上記空間内に入り込む凹陥部を形成して、その凹陥部を機能部材収容部とすることができる。図１に示す例では、凹陥部の一つを電池あるいは電池パックを収容する電池室１８としており、蓋７５を着脱可能に設けている。
【００６０】
このようにすれば、ポータプル型の電子鍵盤楽器の場合には、必要な電池又は電池を内蔵した電池パックを、余分なスペースを設けずに（鍵盤装置の高さ方向の寸法を大きくすることなく）収納できる。
もう一つの凹陥部は機能部品収納部１６とし、ここに鍵並び方向に長い種々の機能部品を収納することを可能にしている。この機能部品収納部１６に、下ケース７０に対して鍵盤フレーム１０を嵌め込む時の仮保持部材を嵌入させたり、コードやマイクなどの付属品を収納することもできる。
【００６１】
その下ケース７０は、止めねじ７２，７３，７４によって鍵盤フレーム１０のボス部１０ｆ，１０ｇ，１０ｈにねじ止めされる。
鍵盤フレーム１０と下ケース７０を一体にして、下ケースの一部に鍵ユニット及び質量体を支持させるようにすることも可能である。
【００６２】
また、支持部材である鍵盤フレーム１０の最下端は、鍵盤フレーム１０の下面の２又は３箇所だけに分散して設けられている。図１に示した例では、ボス部１０ｆと１０ｈの下面だけが鍵盤フレーム１０の最下端であり、他の部分はその最下端より高い位置になっている。例えば、ボス部１０ｇの下面はボス部１０ｆの下面より少し高くなっている。最下端が２箇所の場合は、少なくとも一方がある程度の長さを有する必要がある。
このようにすれば、この鍵盤装置２を、下ケース７０を装着せずに鍵盤楽器の棚板上に直接載置する場合に、ガタつくことなく安定して載置することができる。
【００６３】
ここで、この発明による鍵盤装置のより好ましい実施例について、図１１によって説明する。図１１はその鍵盤装置の１オクターブ分の手前側部分における白鍵とそのガイド部及び質量体駆動部の鍵幅方向の位置関係を示す部分的な平面図である。なお、白鍵のうちＤ，Ｅ，Ｆ，Ｇ，Ａ鍵は破線で示している。これらの図において、前述した図１乃至図１０と対応する部分には同一の符号を付してあり、それらの説明は省略する。
【００６４】
この図において、白鍵２０の幅広部の鍵幅方向の中央位置をｃ１、白鍵２０の質量体駆動部２９の質量体５０Ｗの主被駆動部５３Ｗとの係合面（破線のハッチングを施して示す）の鍵幅方向の中央に対応する駆動部中央位置をｃ２、白鍵ガイド１２及び図４に示した被ガイド部３３からなるガイド部（以下の説明では、代表して白鍵ガイド１２で説明する）を設ける幅広部の鍵幅方向における位置をｃ３とし、それぞれ一点鎖線でその位置を示している。
そして、白鍵２０の幅広部の鍵幅方向の中央位置ｃ１と質量体駆動部２９による駆動部中央位置ｃ２とが一致しているか略一致するＤ，Ｇ，Ａ鍵に対しては、白鍵ガイド１２を設ける位置をｃ３を、白鍵２０の幅広部の鍵幅方向の中央位置をｃ１と一致させるかその近傍にしている。それは、駆動部中央位置ｃ２とも一致するかその近傍になる。
【００６５】
一方、白鍵２０の幅広部の鍵幅方向の中央位置ｃ１と質量体駆動部２９による駆動部中央位置ｃ２とが異なっている（ずれている）Ｅ，Ｆ鍵に対しては、白鍵ガイド１２を設ける位置をｃ３を、質量体駆動部２９による駆動部中央位置ｃ２と一致させるか、幅広部の鍵幅方向の中央位置ｃ１より質量体駆動部２９による駆動部中央位置ｃ２の方に極めて近い位置にしている。Ｃ鍵とＢ鍵については、これらの位置関係を示していないが、Ｅ鍵及びＦ鍵に対してと同様な位置関係で白鍵ガイド１２を設けている。
【００６６】
この実施例の鍵盤装置は、全ての白鍵２０の幅広部に対して設けた各白鍵ガイド１２の鍵幅方向の位置を、質量体５０Ｗに係合する質量体駆動部２９における鍵幅方向の中央位置に対応する位置の近傍にしたので、離鍵時に質量体５０Ｗから質量体駆動部２９が受ける力を白鍵ガイド１２全体に均等に伝達することができる。そして、メカ雑音の発生が大幅に低減する。また、白鍵ガイド１２を軟質材で覆わずに、いずれも硬質材料からなる白鍵ガイド１２と白鍵２０の被ガイド部３３（図４に示す）とを直接摺接させることができるので、力の掛り具合による変形量のバラツキを無視することができ、白鍵２０の鍵並び方向の位置精度が向上する。また、グリッサンド奏法のように白鍵に対して横方向に外圧が生じる演奏を行っても、隣接する白鍵２０同士がぶつかりあってメカ雑音が発生するようなことが殆どなくなる。
【００６７】
この発明は、電子鍵盤楽器だけでなく自然発音体を使用する電気鍵盤楽器やその他の質量体を備えた鍵盤楽器にも適用可能である。各部の形状や配置などは実施例のものに限定されるものではなく、適用する楽器の仕様に応じて適宜変更し得ることは言うまでもない。
【産業上の利用可能性】
【００６８】
この発明による鍵盤装置は、電子オルガン、電子ピアノ、シンセサイザ等の電子鍵盤楽器あるいは電気鍵盤楽器など、各種の鍵盤楽器に適用できる。特に、各鍵ごとに質量体（ハンマ）を備えた小型の電子鍵盤楽器に適用するのに適し、鍵タッチ感がよく、押離鍵時などにメカ雑音が発生せず、高性能でコンパクトな電子鍵盤楽器を安価に提供することが可能になる。
【図面の簡単な説明】
【００６９】
【図１】この発明の一実施例である鍵盤装置を備えた電子楽器の鍵長手方向に沿う概略断面図である。
【図２】その鍵盤装置の１オクターブの鍵域部分の平面図である。
【図３】同じくその正面図である。
【図４】その白鍵の自由端側の下面図である。
【図５】その白鍵ユニットを実線で黒鍵ユニットを仮想線で示す鍵ユニットのみの平面図である。
【００７０】
【図６】その鍵ユニットの鍵共通保持部付近を拡大して示す側面図である。
【図７】その鍵盤フレームの鍵取付部付近とそこに取り付けられた第１の白鍵ユニットの一部を示す斜視図である。
【図８】黒鍵ユニットの一部を下方から見た斜視図である。
【図９】図２に示した鍵盤装置を鍵ユニットおよびスイッチ基板を取り除いて一部を破断して示す平面図である。
【図１０】黒鍵の質量体駆動部の側面図である。
【図１１】この発明による鍵盤装置のより好ましい実施例における白鍵とそのガイド部及び質量体駆動部の鍵幅方向の位置関係を示す部分的な平面図である。
【符号の説明】
【００７１】
１…電子楽器、２…鍵盤装置、１０…鍵盤フレーム（支持部材）、１０W，１０B…対の支持リブ、１０Ｆ…白鍵用下限ストッパ保持部、１０Ｇ…質量体取付部、１０Ｋ…鍵取付部、１０Ｈ…質量体上限ストッパ保持部、１０Ｌ…質量体下限ストッパ保持部、１０Ｊ…上部品取付部、１０Ｓ…スイッチ基板取付部、１０ａ〜１０ｄ…リブ、１０ｅ〜１０ｈ…ボス部、１１…ガイド支持部、１２…白鍵ガイド（ガイド部）、１３Ｗ…白鍵用質量体の軸受部、１３Ｂ…黒鍵用質量体の軸受部、１４Ｗ…白鍵用質量体の回動軸、１４Ｂ…黒鍵用質量体の回動軸、１５…（鍵共通保持部）嵌合用突条部、１６…機能部品収納部、１７…鍵共通保持部取付用ねじ穴、１８…電池室、１９…鍵ユニットスライド面、
【００７２】
２０…白鍵、２０ａ…白鍵の先端部、２１…白鍵の鍵共通保持部（下）、２１ａ…嵌合用凹溝部、２１ｂ…嵌合用突条部、２２…白鍵の鍵共通保持部（上）、２２ａ…嵌合用凹溝部、２２ｂ…嵌合用突条部、２３…白鍵本体部、２３ａ…白鍵本体部の上面、２４…白鍵の連結部、２４ａ…水平ヒンジ部、２４ｂ…垂直ヒンジ部、２５…逃がし部、２６…取付孔、２９…白鍵の質量体駆動部、３０…鍵共通保持部（全体）、３１…白鍵の外側前端壁、３２…白鍵の内側前端壁、３３…白鍵の被ガイド部、３３ａ…スリット、３４…白鍵用下限ストッパ、３５…スイッチ基板係止鉤、３６，３７…ケース結合用透孔、３８…白鍵用質量体の軸受嵌合孔、
【００７３】
４０…黒鍵、４１…黒鍵の鍵共通保持部、４１ａ…嵌合用凹溝部、４２…黒鍵の連結部、４２ａ…厚肉接続部、４２ｂ…薄肉ヒンジ部、４３…黒鍵鍵本体部、４３ｅ…黒鍵鍵本体部の後端、４４…取付孔、４５…黒鍵の質量体駆動部、４６…ケース結合用透孔、４７…開口、４８…黒鍵用質量体の軸受嵌合孔、５０Ｗ…白鍵用質量体（ハンマ）、５０Ｂ…黒鍵用質量体（ハンマ）、５１Ｗ，５１Ｂ…質量体の揺動被支持部、５２Ｗ，５２Ｂ…質量体の慣性モーメント発生部、５２Ｗｃ，５２Ｂｃ…重量部の質量集中部、５３Ｗ，５３Ｂ…質量体の主被駆動部、５４Ｗ，５４Ｂ…質量体の副被駆動部、
【００７４】
６０…上ケース、６１…譜面台装着溝、６２…譜面台、６４…上ケースの口棒部、７０…下ケース、７１〜７４…止めねじ、７５…電池室の蓋、７６…ゴム足、８０…スイッチ基板、８１…鍵スイッチ（ゴム製可動部を備えたもの）、８２…鍵ユニット組付用ねじ、
８３…質量体上限ストッパ、８４…質量体下限ストッパ
ＫＵ…鍵ユニット、ＫＵＷ１…第１の白鍵ユニット（Ｃ，Ｅ，Ｇ，Ｂ鍵）、
ＫＵＷ２…第２の白鍵ユニット（Ｄ，Ｆ，Ａ鍵）、ＫＵＢ…黒鍵ユニット
【図１】
0004674501.tif 000002
【図２】
0004674501.tif 000003
【図３】
0004674501.tif 000004
【図４】
0004674501.tif 000005
【図５】
0004674501.tif 000006
【図６】
0004674501.tif 000007
【図７】
0004674501.tif 000008
【図８】
0004674501.tif 000009
【図９】
0004674501.tif 000010
【図１０】
0004674501.tif 000011
【図１１】
0004674501.tif 000012